(57)【要約】【課題】ノート型パソコン等の電子機器を使用するときにタイピングなどの外力が作用しても動かないようにしっかりと固定することができ、机上で移動させたい場合は軽く移動させることのできる載置台を提供する。【解決手段】  電子機器（Ｐ）を載置するプレート（２）の底面（２ｂ）に、机上面（Ｄ）に接地される滑動部材（３）及びストッパ（４）を配し、滑動部材（３）又はストッパ（４）の一方又は双方を手動操作により進退させて、操作時にストッパ（４）に対して滑動部材（３）を相対的に進出させて滑動部材（３）のみを接地させ、非操作時にストッパ（４）を接地状態に維持する進退機構（５）を備えた。【選択図】図１
2007241627.tif 000002
【特許請求の範囲】
【請求項１】
机上面に置いて使用される電子機器を選択的に机上面に固定させ又は机上面上で移動させることができる載置台であって、
電子機器を載置するプレートの底面に、滑動部材及び滑り止めのストッパが設けられると共に、前記滑動部材又はストッパの一方又は双方を手動操作により上下に進退させて、操作時にストッパに対して滑動部材を相対的に突出させて滑動部材のみを接地させ、非操作時にストッパを接地させる進退機構を備えたことを特徴とする載置台。
【請求項２】
前記滑動部材がプレート底面の四隅に設けられると共に、前記ストッパがプレート底面中央部に配され、
前記進退機構は、プレート内で上下に揺動可能に支持されたシーソー板と、その手前側端部にプレート上面に突出して配された操作子とを備えると共に、前記ストッパがシーソー板の先端側に取り付けられて成る請求項１記載の載置台。
【請求項３】
前記ストッパがプレート底面の四隅に設けられると共に、前記滑動部材がプレート底面中央部に上下進退可能に配され、
前記進退機構は、プレート内を水平に往復移動可能に配されると共に往復方向のいずれか一方に付勢されたスライダと、その端部に取り付けられプレートから突出して配された操作子と、その操作子を押圧してスライダを移動させたときにその水平運動を滑動部材の上下運動に変換する運動伝達機構とを備えた請求項１記載の載置台。
【発明の詳細な説明】
【技術分野】
【０００１】
本発明は、机上面に置いて使用されるノート型パソコンその他の電子機器を、必要に応じて机上面で自由に移動させることができる載置台に関する。
【背景技術】
【０００２】
近年、ノート型パソコンの機能向上及び価格低下に伴い、その出荷台数の伸び率はデスクトップ型パソコンを大きく上回り、性能的にもデスクトップ型と遜色がないことから、社員の個人用端末としてデスクトップ型に替えて採用する企業が増えてきている。
【０００３】
ところで、ノート型は極めて小型であることから、書類や冊子、筆記用具などと共に机上に置いて使用される。
この場合に、椅子に座ったときに自分が作業しやすい机上の真正面のスペースは限られてしまうため、ノート型パソコンを使用するときはそのスペースに置いて作業を行い、ノート型パソコンを使用しないで他の作業を行なうときは例えば机上前方に移動させて、そのスペースを空けるようにしている。
【０００４】
しかし、ノート型パソコンの底面には、タイピング中にずれないようにシリコンゴムなどからなる滑り止めが設けられているので、机上面で押しても簡単に移動させることはできない。また、左右両側に手を添えて軽く持ち上げた状態でずらすことも可能であるが、移動させるのに両手を使わなければならない。また、軽量とは言っても３ｋｇ程度はあり、しかも、最近のノート型パソコンは極めて薄くできているので、持ち上げにくいという問題があった。
【０００５】
このため、ノート型パソコンを載せたまま移動させることのできる載置台が提案されている。
これは、プレートの四隅に前後方向に転がるローラを設けたものであり、ノート型パソコンを載せたまま載置台を移動させることにより、簡単に机上で前後方向に移動できるようになっている。
しかしながら、この載置台は四隅がローラで支持されているので移動しやすい反面、ノート型パソコンを載せてそのキーボードをタイピングするだけで動いてしまうおそれがある。
【特許文献１】特開２００４−３５５３５５号公報
【発明の開示】
【発明が解決しようとする課題】
【０００６】
そこで本発明は、ノート型パソコン等の電子機器を使用するときはタイピングなどの外力が作用しても動かないようにしっかりと固定することができ、机上で移動させたい場合は軽く移動させることのできる載置台を提供することを技術的課題としている。
【課題を解決するための手段】
【０００７】
この課題を解決するために、本発明は、机上面に置いて使用される電子機器を選択的に机上面に固定させ又は机上面上で移動させることができる載置台であって、電子機器を載置するプレートの底面に、滑動部材及び滑り止めのストッパが設けられると共に、前記滑動部材又はストッパの一方又は双方を手動操作により上下に進退させて、操作時にストッパに対して滑動部材を相対的に突出させて滑動部材のみを接地させ、非操作時にストッパを接地させる進退機構を備えたことを特徴としている。
【発明の効果】
【０００８】
本発明に係る載置台によれば、ノート型パソコン等の電子機器を載置するプレートの底面に、滑動部材及びストッパが配されると共に、その一方又は双方を手動操作により進退させる進退機構を備えている。
この進退機構は、手動操作することにより、ストッパに対して滑動部材が相対的に進出するので滑動部材のみが接地され、したがって、電子機器を載せたプレートが滑動部材により支持されて、机上を自由に滑らすことができる。
また、手動操作しなければ、ストッパが接地状態に維持されるので、同時に滑動部材が接地されていたとしてもストッパの摩擦により電子機器を載せたプレートを机上に固定することができる。
したがって、キーボードを強くタイピングしてもプレートが移動することがなく、移動させたいときは自由に移動させることができる。
【０００９】
例えば、請求項２では、滑動部材がプレート底面の四隅に設けられ、ストッパがプレート底面中央部に配され、進退機構は、プレート内で上下に揺動可能に支持されたシーソー板と、その手前側端部にプレート上面に突出して配された操作子を備え、ストッパをシーソー板の先端側に取り付けている。
これによれば、操作子を押下したときにシーソー板の先端側が持ち上がって、ストッパがプレート内に退避し、四隅の滑動部材がストッパに対して相対的に進出することとなるので、プレートはその滑動部材によって滑動自在に支持され、自由に移動させることができる。また、操作子を離せば、ストッパが接地するのでその摩擦により固定させることができる。
【００１０】
さらに、請求項３では、ストッパをプレート底面の四隅に設け、滑動部材をプレート底面中央部に上下進退可能に配し、進退機構として、プレート内を水平に往復移動可能に配されると共に往復方向のいずれか一方に付勢されたスライダと、その端部に取り付けられプレートから突出して配された操作子と、その操作子を押圧してスライダを移動させたときにその水平運動を滑動部材の上下運動に変換する運動伝達機構とを備えている。
これによれば、例えば、スライダを押し込んで移動させたときに滑動部材がストッパより下方に進出するので載置台が滑動自在に支持され、机上面上で電子機器を載置台ごと自由に移動させることができる。
また、操作子を離せば、スライダが元の位置に戻って滑動部材が退避するのでストッパが接地し、その摩擦により固定させることができる。
【発明を実施するための最良の形態】
【００１１】
本例では、ノート型パソコン等の電子機器を使用するときに、タイピングなどの外力が作用しても動かないように机上にしっかりと固定することができ、机上で移動させたい場合は軽く移動させることができるようにするという目的を達成するために、電子機器を載置するプレートの底面に、滑動部材及び滑り止めのストッパが設けられると共に、前記滑動部材又はストッパの一方又は双方を手動操作により上下に進退させて、操作時にストッパに対して滑動部材を相対的に突出させて滑動部材のみを接地させ、非操作時にストッパを接地させる進退機構を備えた。
【００１２】
図１は本発明に係る載置台の一例を示す斜視図、図２はその内部機構を示す断面図、図３は他の実施形態を示す斜視図、図４はその内部機構を示す断面図である。
【実施例１】
【００１３】
図１及び図２に示す載置台１は、机上面Ｄに置いて使用されるノート型パソコンなどの卓上電子機器Ｐを選択的に机上面Ｄに固定させ又は机上面Ｄ上で移動させるものである。
電子機器Ｐを載置するプレート２の上面２ａはフラットに形成されると共に、底面２ｂには、その四隅にテフロン（登録商標）のような摩擦係数の低いフッ素樹脂製の滑動部材３が設けられると共に、その中央部にシリコン硬質ゴムのような摩擦係数の高い材料で形成された滑り止めのストッパ４が設けられている。
【００１４】
また、プレート２は中空ボックス型に形成され、その内部には、滑動部材３又はストッパ４の一方又は双方を手動操作により進退させて、操作時にストッパ４に対して滑動部材３を相対的に進出させて滑動部材３のみを机上面Ｄに接地させ、非操作時にストッパ４を机上面Ｄに接地状態に維持する進退機構５を備えている。
本例では、進退機構５となるてこ機構が用いられており、プレート２の前端面と平行な支軸６によりプレート２内で上下に揺動可能に支持されたシーソー板（てこ）７が配され、そのシーソー板７の手前側端部にプレート２の上面２ａに突出する操作子８が配されると共に、そのシーソー板７の先端側端部にプレート２の底面２ｂに形成された開口部２ｃから露出する前記ストッパ４が配されている。
このシーソー板７は、支軸６の先端側が手前側よりも重く形成され、操作子８を押下しない限り、ストッパ４が接地状態に維持されている（図２（ａ）参照）。
そして、操作子８を押下することによりシーソー板７の先端側が持ち上がるのでストッパ４がプレート２内に退避し（図２（ｂ）参照）、操作子８を離したときにストッパ４がその自重により進出して机上面Ｄに接地状態に押し当てられる。
【００１５】
以上が本発明の一構成例であって、次にその作用について説明する。
机の正面に座った状態で、その正面に位置する机上面Ｄの作業スペースに載置台１を置き、これにノート型パソコンなどの電子機器Ｐを載せて、図２（ａ）に示すように、ディスプレイ９を開いてキーボードなどの操作を行う。
このとき、電子機器Ｐはその底面にストッパ１０が取り付けられているので、載置台１のプレート上面２ａで滑ることはない。
また、載置台１は、プレート底面２ｂの四隅に設けられた滑動部材４で全体が安定支持されると共に、プレート底面２ｂの中央に設けられた開口部２ｃからストッパ４が突出して机上面Ｄに接地されている。
したがって、載置台１は机上面Ｄに確りと固定されることとなり、キーボードを強くタイピングするなどして電子機器Ｐの任意の位置に外力が作用しても、載置台１は机上面Ｄ上で位置ずれすることがない。
【００１６】
次いで、電子機器Ｐの使用が終了し、机上面Ｄ上で載置台１を滑らせて作業スペースから移動させる場合は、例えば閉じたディスプレイ９の手前側に手を載せ、その親指で操作子８を押下すれば、図２（ｂ）に示すように、シーソー板７が回動してその先端側に取り付けられたストッパ４が持ち上がってプレート２内に退避し、載置台１は滑動部材３によってのみ支持される。
したがって、その状態で、閉じたディスプレイ９に載せた手で電子機器Ｐを載置台１ごと移動させれば、載置台１は机上面Ｄを滑って簡単に移動させることができる。
【実施例２】
【００１７】
図３及び図４は他の実施形態を示す。
本例の載置台１１は、プレート１２の上面１２ａがフラットに形成されると共に、底面１２ｂには、その四隅にシリコン硬質ゴムのような摩擦係数の高い材料で形成された滑り止めのストッパ１４が設けられると共に、その中央部に開口部１２ｃにテフロン（登録商標）のような摩擦係数の低いフッ素樹脂製の滑動部材１３が設けられている。
【００１８】
また、プレート１２は中空ボックス型に形成され、その内部には、滑動部材１３又はストッパ１４の一方又は双方を手動操作により進退させて、操作時にストッパ１４に対して滑動部材１３を相対的に進出させて滑動部材１３のみを机上面Ｄに接地させ、非操作時にストッパ１４を机上面Ｄに接地状態に維持する進退機構１５を備えている。
【００１９】
本例の進退機構１５は、プレート１２内を水平に前後往復移動されると共にスプリング１６により手前側に付勢されたスライダ１７と、そのスライダ１７の手前側端部にプレート１２の前端面から突出して取り付けられた操作子１８と、スプリング１６の弾撥力に抗して操作子１８押し込み、でスライダ１７を移動させたときにその前後運動を滑動部材１３の上下運動に変換して滑動部材１３をストッパ１４よりも下方に進出させる運動伝達機構１９を備えている。
【００２０】
この運動伝達機構１９は、スライダ１７に形成された下向きのテーパ面１７ａと、これに摺接するように滑動部材１３の上面に突出形成された上向きのテーパ面１３ａから成り、スライダ１７が押し込まれたときにテーパ面１７ａが移動することにより滑動部材１３のテーパ面１３ａを下方に押し出すカム構造を成している。なお、この上向きのテーパ面１３ａを従動ローラなど替えても同様である。
【００２１】
これによれば、机の正面に座った状態で、その正面に位置する机上面Ｄの作業スペースに載置台１１を置き、これにノート型パソコンなどの電子機器Ｐを載せて操作する場合は、図３（ａ）に示すように、スライダ１７がスプリング１６の弾撥力により手前側に押されているので、スライダ１７のテーパ面１７ａと滑動部材１３のテーパ面１３ａが離れている。
したがって、滑動部材１３は接地状態にはあっても、その底面２ｂの四隅に設けられたストッパ１４より下方に突出されることがないので、ストッパ１４が接地状態に維持されて載置台１１は机上面Ｄに確りと固定されることとなる。
この状態で、キーボードを強くタイピングずるなどして電子機器Ｐの任意の位置に外力が作用しても、載置台１１は机上面Ｄ上で位置ずれすることがない。
【００２２】
また、電子機器Ｐの使用が終了し、机上面Ｄ上で載置台１１を滑らせて作業スペースから移動させる場合は、プレート１２の手前側先端部に設けられたフィンガーレスト２０に手を置き、親指で操作子１８を押し込めば、図３（ｂ）に示すように、スライダ１７がスプリング１６の弾撥力に抗して水平に移動する。
これにより、スライダ１７のテーパ面１７ａが滑動部材１３のテーパ面１３ａに摺接されて、滑動部材１３はその底面２ｂの四隅に設けられたストッパ１４より下方に突出されるので、ストッパ１４は中に浮き、載置台１１は滑動部材１３によってのみ支持されることとなる。
したがって、フィンガーレスト２０と操作子１８を掴んだまま、その手で、電子機器Ｐを載置台１１ごと移動させれば、載置台１１は机上面Ｄを滑って簡単に移動させることができる。
【産業上の利用可能性】
【００２３】
以上述べたように、本発明は、机上面に置いて使用されるノート型パソコンその他の電子機器を、必要に応じて机上面で自由に移動させることができる載置台の用途に適用し得る。
【図面の簡単な説明】
【００２４】
【図１】本発明に係る載置台の一例を示す斜視図。
【図２】その内部機構を示す断面図。
【図３】他の実施形態を示す斜視図。
【図４】その内部機構を示す断面図。
【符号の説明】
【００２５】
１  １１  載置台
Ｄ        机上面
Ｐ        電子機器
２  １２  プレート
３  １３  滑動部材
４  １４  ストッパ
５  １５  進退機構
７        シーソー板  
８  １８  操作子
１７      スライダ
１９      運動伝達機構
【図１】
2007241627.tif 000003
【図２】
2007241627.tif 000004
【図３】
2007241627.tif 000005
【図４】
2007241627.tif 000006